(57)【要約】【課題】簡単な構成で、パネル体上での押下操作位置による感圧感度の違いをなくし、操作感の良いタッチパネル装置を提供する。【解決手段】ディスプレイ画面を構成するパネル体１２と、パネル体１２に対する操作位置を検知する操作位置検知装置を備える。パネル体１２周縁に固定された長尺状の圧電素子１６と、パネル操作による押圧力に起因する圧電素子１６の出力を判別するコンパレータ２０を備える。操作位置検知装置によりパネル体１２の操作位置を検知して所定の処理を行う処理装置２２と、コンパレータ２０に所定の閾値を出力する閾値設定部であるＤ／Ａ変換器２４を備える。処理装置２２は、コンパレータ２０に設定する閾値を、パネル体１２の操作位置による圧電素子１６の出力変動を打ち消すように、圧電素子１６からパネル体１２の操作位置までの距離に反比例するように設定する処理を行う。【選択図】図１
2008287575.tif 000002
【特許請求の範囲】
【請求項１】
ディスプレイ画面を構成するパネル体と、前記パネル体に対する操作位置を検知する操作位置検知装置と、前記パネル体周縁に固定された長尺状の圧電素子と、前記パネル操作による押圧力に起因する前記圧電素子の出力を判別するコンパレータと、前記操作位置検知装置により前記パネル体の操作位置を検知して所定の処理を行う処理装置と、前記コンパレータに所定の閾値を出力する閾値設定部とを備え、前記処理装置は、前記コンパレータに設定する閾値または前記圧電素子の出力の増幅率を、前記パネル体の操作位置による前記圧電素子の出力変動の影響を減らすように処理することを特徴とするタッチパネル装置。
【請求項２】
前記処理装置は、前記コンパレータに設定する閾値を、前記圧電素子から前記パネル体の操作位置までの距離に反比例するように設定する処理を行う請求項１記載のタッチパネル装置。
【請求項３】
前記処理装置は、前記圧電素子の出力を増幅するプログラマブルゲインアンプに設定する増幅率を、前記圧電素子から前記パネル体の操作位置までの距離に比例するように設定する処理を行う請求項１記載のタッチパネル装置。
【請求項４】
前記処理装置は、Ａ／Ｄ変換された前記圧電素子の出力を、前記圧電素子から前記パネル体の操作位置までの距離に反比例するように設定されたデジタイル的な閾値と比較する処理を行う請求項１記載のタッチパネル装置。
【請求項５】
前記パネル体周縁に額縁が取り付けられ、前記操作位置検知装置は、前記額縁の互いに交差する２辺に沿って設けられた発光素子アレイと、この発光素子アレイと対向する額縁に沿って設けられた受光素子アレイである請求項１記載のタッチパネル装置。
【発明の詳細な説明】
【技術分野】
【０００１】
この発明は、種々の電子機器のディスプレイや操作部等に設けられ、入力装置して用いられるタッチパネル装置に関する。
【背景技術】
【０００２】
従来、ディスプレイ表面にタッチパネル機能を備えた電子機器が広く利用されている。このタッチパネルはディスプレイ表面に触れることで入力操作が可能であり、その入力方法にはいくつかの方式があり、そのなかには非接触でも入力が成される光学式タッチパネルがある。これは、横方向と縦方向のそれぞれに、複数の赤外ＬＥＤと対向側に複数のフォトトランジスタを設け、指などで光路を遮ることでパネル上の入力位置を検出し、所望の入力操作を行うものである。
【０００３】
しかし、光学式タッチパネルは、操作者のネクタイ等の衣類がパネル面に垂れた場合や押下操作の中断の場合も、操作者の意図に反して光路が遮られた場合には入力として検知してしまい、誤操作が生じやすいものであった。この点は、操作者が指等を近づけることにより操作位置を検知して、入力処理が行われる静電容量型のタッチパネルにも該当するものであった。
【０００４】
そこで、操作時の接触力を圧電素子や力センサにより検出し、一定レベル以上の操作圧力がセンサにより検知された場合にパネル押下操作と判断して、光学的に検知したパネル押下位置情報を入力情報と判断する感圧式タッチパネルがある。
【０００５】
また、特許文献１に開示されているように、操作パネルが押下されることにより、この押下の圧力に対応した電流を出力する歪みゲージ等の押下検出手段と、各押下検出手段の電流出力から、操作パネル上の押下位置に対応した平面上の座標入力信号を演算する座標演算手段と、各押下検出手段の電流出力から、押下位置における圧力に対応して２次元平面に対して垂直な方向のさらなる座標入力信号を演算する第２の座標演算手段を設けたタッチパネルも提案されている。
【特許文献１】特開２００５−７８１９４号公報
【発明の開示】
【発明が解決しようとする課題】
【０００６】
しかし、感圧式タッチパネルにおいは、操作者のパネル押圧位置と力センサ等の取り付け位置との関係で、センサの出力レベルが異なり、パネル操作面全体での感圧感度が一定にならず、センサから離れた位置での操作に対する感度が悪いという問題があった。また、特許文献１に開示されている構造のタッチパネルの場合、押下検出手段により得られた信号から押下位置を演算するため、位置検知精度が悪く、回路が複雑になるという問題がある。
【０００７】
この発明は、上記背景技術の問題点に鑑みてなされたもので、簡単な構成で、パネル体上の位置による感圧感度の違いをなくし、操作感の良いタッチパネル装置を提供することを目的とする。
【課題を解決するための手段】
【０００８】
この発明は、ディスプレイ画面を構成するパネル体と、前記パネル体に対する操作位置を検知する操作位置検知装置と、前記パネル体周縁に固定された長尺状の圧電素子と、前記パネル操作による押圧力に起因する前記圧電素子の出力を判別するコンパレータと、前記操作位置検知装置により前記パネル体の操作位置を検知して所定の処理を行う処理装置と、前記コンパレータに所定の閾値を出力する閾値設定部とを備え、前記処理装置は、前記コンパレータに設定する閾値または前記圧電素子の出力の増幅率を、前記パネル体の操作位置による前記圧電素子の出力変動の影響を減らすように処理するタッチパネル装置である。
【０００９】
前記処理装置は、前記コンパレータに設定する閾値を、前記圧電素子から前記パネル体の操作位置までの距離に反比例するように設定する処理を行うものである。
【００１０】
または、前記処理装置は、前記圧電素子の出力を増幅するプログラマブルゲインアンプに設定する増幅率を、前記圧電素子から前記パネル体の操作位置までの距離に比例するように設定する処理を行うものである。
【００１１】
または、前記処理装置は、Ａ／Ｄ変換された前記圧電素子の出力を、ＣＰＵ等により前記圧電素子から前記パネル体の操作位置までの距離に反比例するように設定されたデジタイル的な閾値と比較する処理を行うものである。
【００１２】
前記パネル体周縁に額縁が取り付けられ、前記操作位置検知装置は、前記額縁の互いに交差する２辺に沿って設けられた発光素子アレイと、この発光素子アレイと対向する額縁に沿って設けられた受光素子アレイである。
【発明の効果】
【００１３】
この発明のタッチパネル装置は、圧電素子によりパネル体に対する操作を検知する際に、操作位置による圧電素子の出力信号のばらつきを打ち消すように処理し、パネル体上での操作位置にかかわらず、一様な操作感を得ることができるものである。さらに、パネル体上の位置により意図的に感圧感度に差を持たせて、入力操作をより確実なものとしたり、より高機能のタッチパネル装置にしたりすることもできる。
【発明を実施するための最良の形態】
【００１４】
以下、この発明の実施の形態について図面に基づいて説明する。図１、図２はこの発明の第一実施形態を示すもので、この実施形態のタッチパネル装置１０は、カーナビゲーション装置や、ＡＴＭ、券売機、その他各種電子装置の操作パネル等に利用されるとともに、入力装置として用いられる。このタッチパネル装置１０は、透明な樹脂基板やガラス基板等の四角形のパネル体１２と、このパネル体１２を収容した額縁１４を備えている。
【００１５】
額縁１４の隣り合う２辺１４ａ，１４ｂには、操作位置検知装置である図示しないＬＥＤのアレイが各々配置され、図１（ａ）のパネル体１２内の矢印に示す方向に発光する。辺１４ａ，１４ｂと対面する２辺１４ｃ，１４ｄには、対向するＬＥＤアレイの各素子の光を検知する操作位置検知装置としての図示しないフォトトランジスタアレイが配置されている。
【００１６】
パネル体１２には、その裏面の周縁に沿って、長尺状の圧電素子１６が額縁１４の互いに対向する辺１４ａ，１４ｃに固定されている。圧電素子１６の長さは、額縁１４の１辺の長さの例えば１／２以上であればよい。
【００１７】
タッチパネル装置１０の圧電素子１６は、図２に示すように、圧電素子１６の出力信号が、アンプ１８に接続され、アンプ１８で増幅された信号は、コンパレータ２０に入力している。コンパレータ２０には、閾値を設定する信号がＣＰＵ２２から閾値設定部であるＤ／Ａ変換器２４を介して入力している。ＣＰＵ２２には、タッチパネル装置１０のフォトトランジスタからのパネル体１２のＸ，Ｙ方向の各位置信号が入力している。
【００１８】
次に、この実施形態のタッチパネル装置１０の押下操作位置の検出処理について、以下に説明する。まず、操作者のパネル体１２の押下動作により、押下操作位置に対応したフォトトランジスタ出力が変化し、ＣＰＵ２２は額縁１４ｃ，１４ｄのフォトトランジスタの出力変化位置から押下操作位置を判断する。
【００１９】
このとき同時に、一対の圧電素子１６の出力がアンプ１８を介してコンパレータ２０に入力する。コンパレータ２０の閾値には、Ｄ／Ａ変換器２４からの可変閾値が入力している。コンパレータ２０の閾値の調整変動は、ＣＰＵ２２が押下操作位置情報を判断して、事前にシミュレーションして設定した可変規則により変更する。この閾値の調整は、例えば、圧電素子１６から遠い位置の圧電素子１６の出力ほど閾値を小さくする処理や、圧電素子１６からの距離に比例するように段階的に閾値を低くするものでも良い。可変にするための情報は、事前のシミュレーションによるデータテーブルまたは計算式として、図示しない記憶素子に記録され、所定のプログラムにより、ＣＰＵ２２により処理される。
【００２０】
圧電素子１６からの出力によりコンパレータ２０の出力がアクティブとなったときは、そのときのフォトトランジスタからの操作位置情報は正しい入力操作であり、ＣＰＵ２２はその入力信号の位置情報に基づいて、所定の操作信号を出力し電子機器の所定の処理動作等を行う。また、フォトトランジスタから操作位置情報が入力したにもかかわらず、コンパレータ２０の出力がアクティブにならない場合は、パネル体１２への押下操作がないか不十分であるものであり、正規の入力操作ではなく、ＣＰＵ２２は操作信号を出力しない。
【００２１】
この実施形態によれば、パネル体１２上での押下操作位置による圧電素子１６の出力信号のばらつきを調整し、パネル体１２上での操作位置にかかわらず、一様な操作感で入力操作をすることができるものである。さらに、パネル体１２の操作位置により、その操作の重要性や操作の種類により、意図的に感圧感度に差を持たせて、入力操作を確実なものとしたり複雑高機能な仕様としたりすることもできる。
【００２２】
次に、この発明のタッチパネル装置の第二実施形態について、図３を基にして説明する。ここで上記実施形態と同様の部材は同一符号を付して説明を省略する。この実施形態のタッチパネル装置３０は、増幅率が可変のプログラマブルゲインアンプ（ＰＧＡ）３２を用いて、圧電素子１６の出力が入力するＰＧＡ３２の増幅率を、パネル体１２内の押下操作位置により変更するものである。ＰＧＡ３２の増幅率の調整は、フォトトランジスタによる押下操作位置情報により、押下操作位置が圧電素子１６から遠いほど圧電素子１６の出力の増幅率を上げる制御を行う。即ち、増幅率の設定は、押下操作位置情報の圧電素子１６からの距離に比例した増幅率や、比例した傾向の段階的な増幅率でも良い。この場合、コンパレータ２０に入力する閾値設定部の基準電圧２５による閾値は固定である。
【００２３】
この実施形態の場合、圧電素子１６の出力を押下操作位置に合わせて調整し、同じ押下操作であれば、圧電素子１６のＰＧＡ３２からの出力が同様のレベルの出力になるようにし、一定の閾値で押下操作の判別を行うことができる。
【００２４】
次に、この発明のタッチパネル装置の第三実施形態について、図４を基にして説明する。ここで上記実施形態と同様の部材は同一符号を付して説明を省略する。この実施形態のタッチパネル装置３４は、圧電素子１６の出力を増幅した値をＡ／Ｄ変換器３８によりデジタル信号に変換し、ＣＰＵ３６内で、デジタル的に閾値を調整した値と比較して、押下操作を判別するものである。この場合、ＣＰＵ３６は、閾値を上記第一実施形態と同様に調整するものであり、調整値をデータテーブルまたは計算式として記憶素子に記録しておく。
【００２５】
この実施形態によっても上記実施形態と同様の効果を得ることができ、デジタル的な処理により、回路を簡単なものとすることができ、汎用性も高い。
【００２６】
なお、この発明のタッチパネル装置は上記実施形態に限定されるものではなく、操作位置検知装置が静電容量の変化を検知する静電容量型タッチパネル装置にも利用できる。また、圧電素子は1本でも良く、操作位置による圧電素子の出力変動の影響を減らす処理が可能なものであればよい。さらに、コンパレータの種類や取り付けられる電子装置の種類は問わない。
【図面の簡単な説明】
【００２７】
【図１】この発明の第一実施形態のタッチパネル装置の平面図（ａ）、Ａ−Ａ断面図（ｂ）、背面図（ｃ）である。
【図２】この発明の第一実施形態のタッチパネル装置の押下検知判別回路のブロック図である。
【図３】この発明の第二実施形態のタッチパネル装置の押下検知判別回路のブロック図である。
【図４】この発明の第三実施形態のタッチパネル装置の押下検知判別回路のブロック図である。
【符号の説明】
【００２８】
１０  タッチパネル装置
１２  パネル体
１４  額縁
１６  圧電素子
１８  アンプ
２０  コンパレータ
２２  ＣＰＵ
２４  Ｄ／Ａ変換器
【図１】
2008287575.tif 000003
【図２】
2008287575.tif 000004
【図３】
2008287575.tif 000005
【図４】
2008287575.tif 000006